(57)【要約】【課題】  本発明は、電池の交換など煩雑な作業を必要とせず、暗室など十分に集光できない状況においても電力の供給を確保することができる美容ローラー器具を提供することを目的とする。【解決手段】  開示の美容ローラー器具は、人の肌に接触し回転する回転部と、使用時に手で握るハンドル部と、を備える美容ローラー器具であって、前記回転部は、該回転部の表面に粒状の突起部を複数備え、前記ハンドル部は、吸収した光エネルギーを電気エネルギーに変換する太陽電池パネル部と、該太陽用電池パネル部により出力される電力を蓄電する蓄電部とを備え、前記人の肌にふれた前記突起部は、前記太陽電池パネル部又は前記蓄電部の少なくとも一方から出力される電力が供給されることを特徴とする。【選択図】図１
2012000347.tif 000002
【特許請求の範囲】
【請求項１】
人の肌に接触し回転する回転部と、
使用時に手で握るハンドル部と、を備える美容ローラー器具であって、
前記回転部は、該回転部の表面に粒状の突起部を複数備え、
前記ハンドル部は、吸収した光エネルギーを電気エネルギーに変換する太陽電池パネル部と、該太陽用電池パネル部により出力される電力を蓄電する蓄電部とを備え、
前記人の肌に触れた前記突起部は、前記太陽電池パネル部又は前記蓄電部の少なくとも一方から出力される電力が供給されることを特徴とする美容ローラー器具。
【請求項２】
前記突起部は、導電体であることを特徴とする請求項１に記載の美容ローラー器具。
【請求項３】
前記突起部が前記人の肌に触れた場合、
前記突起部に供給された電流は、前記人を介して、前記ハンドル部に流れることを特徴とする請求項１又は２に記載の美容ローラー器具。
【請求項４】
前記ハンドル部は、該ハンドル部の端部から前記回転部との接続部に向かって、軸径が徐々に大となり中程から次第に小となる形状であることを特徴とする請求項１乃至３の何れか一に記載の美容ローラー器具。
【請求項５】
前記回転部は、該回転部の表面に六つの平らな面を備え、該六つの平らな面のうち一つ置きの三つの面それぞれには同数の突起部が備えられることを特徴とする請求項１乃至４の何れか一に記載の美容ローラー器具。
【発明の詳細な説明】
【技術分野】
【０００１】
本発明は、美容ローラー器具の技術に関する。
【背景技術】
【０００２】
人、特に女性の美容対策として肌に適度な刺激を与えるため、美容ローラー器具を顔などに当てマッサージを行うことが有る（特許文献１、特許文献２など）。これら文献によると、顔など肌の気になる部分に美容ローラー器具を利用し刺激を与えることで、しわ、皮膚のたるみ、肌のつやなどを改善できるという。
【０００３】
一方、肌に微弱な電流を流すことで肌に対し適度な刺激を与え、上記効果と同様に、しわ、皮膚のたるみ、肌のつやなどを改善できるという事例もある。また、上記のように美容ローラー器具を肌に当てると共に微弱な電流を流すことは、上記２つのマッサージ効果を重畳的に得ることができ、美容対策として非常に効果的であるとも考えられる。
【先行技術文献】
【特許文献】
【０００４】
【特許文献１】特開２００８−１１９１８１号公報
【特許文献２】実用新案登録第３１５４３６６号公報
【発明の概要】
【発明が解決しようとする課題】
【０００５】
そこで、問題となるのは美容ローラー器具への電力の供給である。美容ローラー器具に乾電池を備えさせ、その乾電池から電力を供給させるという解決策も考えられる。しかし、美容ローラー器具が乾電池を備える場合、当該器具の重量が増し、使用時や持ち運び時の負担が増すという問題点が有る。さらに、美容ローラー器具が備える乾電池の定期的な交換作業は煩雑であるという問題点もある。
【０００６】
他方、上記電力供給の問題の解決策として、美容ローラー器具に太陽電池パネルを内蔵させ、当該太陽電池パネルが出力する電力を供給させるということも考えられる。しかし、暗室など太陽電池パネルが十分に集光できない状況においては、美容ローラー器具に電力を供給することができないという問題点がある。
【０００７】
そこで、本発明では、電池の交換など煩雑な作業を必要とせず、暗室など十分に集光できない状況においても電力の供給を確保することができる美容ローラー器具を提供することを目的とする。
【課題を解決するための手段】
【０００８】
開示の美容ローラー器具は、人の肌に接触し回転する回転部と、使用時に手で握るハンドル部と、を備える美容ローラー器具であって、前記回転部は、該回転部の表面に粒状の突起部を複数備え、前記ハンドル部は、吸収した光エネルギーを電気エネルギーに変換する太陽電池パネル部と、該太陽用電池パネル部により出力される電力を蓄電する蓄電部とを備え、前記人の肌にふれた前記突起部は、前記太陽電池パネル部又は前記蓄電部の少なくとも一方から出力される電力が供給されることを特徴とする。
また、開示の美容ローラー器具の一形態において、さらに、前記突起部は、導電性を有することを特徴とする。
【０００９】
また、開示の美容ローラー器具の一形態において、さらに、前記突起部が前記人の肌にふれた場合、前記突起部に供給された電流は、前記人を介して、前記ハンドル部に流れることを特徴とする。
【００１０】
また、開示の美容ローラー器具の一形態において、さらに、前記回転部は、該回転部の表面に六つの平らな面を備え、該六つの平らな面のうち一つ置きの三つの面それぞれには同数の突起部が備えられることを特徴とする。
【００１１】
また、開示の美容ローラー器具の一形態において、さらに、前記ハンドル部は、該ハンドル部の端部から前記回転部との接続部に向かって、軸径が徐々に大となり中程から次第に小となる形状であることを特徴とする。
【発明の効果】
【００１２】
開示する美容ローラーは、電池の交換など煩雑な作業を必要とせず、暗室など十分に集光できない状況においても電力の供給を確保することができる。
【図面の簡単な説明】
【００１３】
【図１】本実施の形態に係る美容ローラー器具の斜視図である。
【図２】本実施の形態に係る美容ローラー器具の平面図である。
【図３】本実施の形態に係る美容ローラー器具の断面図である。
【図４】本実施の形態に係る美容ローラー器具の側面図である。
【図５】本実施の形態に係る美容ローラー器具の回路概略図である。
【発明を実施するための形態】
【００１４】
図１乃至５を用いて、本実施の形態に係る美容ローラー器具１について説明する。図１は美容ローラー器具１の斜視図であり、図２は美容ローラー器具１の平面図である。図１及び２で示すように、美容ローラー器具１は、ハンドル部１０、回転部２０、太陽電池パネル部３０、突起部４０、第２突起部６０を有する。
【００１５】
ハンドル部１０は、美容ローラー器具１の使用時に使用者が手で握る部分である。ハンドル部１０の形状は、ハンドル部１０の端部から回転部２０との接続部に向かって、軸径が徐々に大となり中程から次第に小となる形状である。これにより、美容ローラー器具１は意匠的効果が優れると共に、使用者の手とのフィット感にも優れる。
【００１６】
回転部２０は、顔など人の肌に接触し、肌と回転部２０表面との摩擦によって回転する部分である。回転部２０は、アルミニウムを材料とすることが好適であるが、他の材料で形成されていても良い。
【００１７】
太陽電池パネル部３０は、ハンドル部１０の略中央表面に配置され、集光した光エネルギーを電気エネルギーに変換する機能を有する。太陽電池パネル部３０は、一般的な太陽電池パネルで構成される。
【００１８】
ここで回転部２０は、該回転部２０の表面に六つの平らな面を備え、該六つの平らな面のうち一つ置きの三つの面それぞれには突起部４０を備える。突起部４０は、導電性の材料で形成される突起物であり、突起部４０には太陽電池パネル部３０から出力される電力が供給される。そして、回転部２０（突起部４０）が人体（例えば、肌など）に触れている場合、太陽電池パネル部３０から供給される電流は突起部４０（回転部２０）及び人体を介して、ハンドル部１０の方向へと流れる。ここで、突起部４０は、銅（Ｃｕ）をベース材とし、その表面にはニッケル（Ｎｉ）でメッキを施すことが好適であるが、他の材料（例えば、ゲルマニウムやその化合物）で形成されていても良い。
【００１９】
図３は、美容ローラー器具１の断面図である。図３で示すように、ハンドル部１０は、内部に蓄電部５０を備える。蓄電部５０は、太陽電池パネル部３０が発生させる電力を貯蔵する機能を有する。蓄電部５０は、一般的なニッケル水素蓄電池で構成される。ここで突起部４０には、太陽電池パネル部３０から出力される電力が供給されると共に、蓄電部５０からも電力が供給される。そして、突起部４０（回転部２０）が人体（例えば、肌など）に触れている場合、太陽電池パネル部３０及び（又は）蓄電部５０から供給される電流は突起部４０（回転部２０）及び人体を介して、ハンドル部１０の方向へと流れる。
【００２０】
図４は、美容ローラー器具１の側面図である。図１、図２及び図４で示すように、第２突起部６０は、回転部２０の端部であって、回転部２０の中央部に備えられる突起物であり、ステンレス材で形成される。美容ローラー器具１を使用してツボに刺激を与える場合、第２突起部６０をツボ部分に押し当てて使用することができる。
【００２１】
図５は、美容ローラー器具１を電気回路として見た場合の回路概略図である。図５には、美容ローラー器具１を電気回路として見た場合の構成要素として、ハンドル部１０、突起部４０（回転部２０）、太陽電池パネル部３０、蓄電部５０、ダイオードＤ、スイッチＳＷ１、ＳＷ２、抵抗Ｒ１、Ｒ２を図示している。抵抗Ｒ１の抵抗値は約１００ｋΩ、抵抗Ｒ２の抵抗値は約１０ｋΩである。なお、抵抗Ｒ２は、突起部４０（回転部２０）を肌に接触させた場合の人体が有する電気抵抗である。
【００２２】
スイッチＳＷ１は、突起部４０（回転部２０）を肌に接触させた場合にスイッチがＯＮ状態となり、突起部４０が肌から離れた場合にはスイッチがＯＦＦ状態となる。また、スイッチＳＷ２は、ハンドル部１０を握った場合にスイッチがＯＮ状態となり、ハンドル部１０を離した場合にはスイッチがＯＦＦ状態となる。
【００２３】
図５で示すように、スイッチＳＷ１、ＳＷ２の何れかが開放されている場合、太陽電池パネル部３０で発生した電気エネルギーは、蓄電部５０に蓄積される。そして、スイッチＳＷ１、ＳＷ２の両方が閉じられた場合、太陽電池パネル部３０及び蓄電部５０から突起部４０（回転部２０）に向かって電力が供給される。なお、暗室など太陽電池パネルが十分に集光できない場所で美容ローラー器具１を使用する場合、スイッチＳＷ１、ＳＷ２の両方が閉じられていれば、蓄電部５０が突起部４０（回転部２０）に向かって電力を供給する。突起部４０（回転部２０）から人体に供給される電流は、その大きさを１０μＡ程度の微弱電流とすることが好適である。
【００２４】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２５】
１    美容ローラー器具
１０  ハンドル部
２０  回転部
３０  太陽電池パネル部
４０  突起部
５０  蓄電部
６０  第２突起部
【図１】
2012000347.tif 000003
【図２】
2012000347.tif 000004
【図３】
2012000347.tif 000005
【図４】
2012000347.tif 000006
【図５】
2012000347.tif 000007